(57)【要約】【課題】  コピーワンスコンテンツが記録されたライトワンス記録媒体に対し、ムーブと同様の機能を発揮できる処理方法および処理装置を提供する。【解決手段】  ライトワンス記録媒体に記録されたコピーワンスコンテンツを前記ライトワンス記録媒体とは別の記録媒体に移動させるコピーワンスコンテンツの移動方法であって、前記コピーワンスコンテンツを前記別の記録媒体に移動させる際に、前記ライトワンス記録媒体の基本情報部に、該基本情報部に記録された信号とは異なる信号を記録することを特徴とするコピーワンスコンテンツの移動方法である。  また、当該移動方法に適用されるコピーワンスコンテンツの移動装置である。【選択図】  なし【特許請求の範囲】
【請求項１】
ライトワンス記録媒体に記録されたコピーワンスコンテンツを前記ライトワンス記録媒体とは別の記録媒体に移動させるコピーワンスコンテンツの移動方法であって、
前記コピーワンスコンテンツを前記別の記録媒体に移動させる際に、前記ライトワンス記録媒体の情報部に、該情報部に記録された信号とは異なる信号を記録し、前記ライトワンス記録媒体の情報を再生できないようにすることを特徴とするコピーワンスコンテンツの移動方法。
【請求項２】
前記異なる信号の記録を、最適記録パワーの１／４以上のパワーで行うことを特徴とする請求項１に記載のコピーワンスコンテンツの移動方法。
【請求項３】
ライトワンス記録媒体に記録されたコピーワンスコンテンツを前記ライトワンス記録媒体とは別の記録媒体に移動させるコピーワンスコンテンツの移動装置であって、
前記コピーワンスコンテンツを前記別の記録媒体に移動させる際に、前記ライトワンス記録媒体の情報部に、該情報部に記録された信号とは異なる信号を記録する信号再記録手段を有することを特徴とするコピーワンスコンテンツの移動装置。
【発明の詳細な説明】
【技術分野】
【０００１】
本発明は、記録されたコピーワンスコンテンツを別の記録媒体に移動させる移動方法および移動装置に関する。
【背景技術】
【０００２】
コピーワンスコンテンツとは、一度だけ録画可能な番組をいい、地上波デジタル放送のかなりの番組がこれに該当するといわれている。コピーワンスコンテンツにはダビング回数を制御するデジタル信号が組み込まれているため、録画した番組を別の記録媒体にダビングすることができない。従って、このようなコピーワンスコンテンツの増加は、当該コンテンツの最終的な保存先を決めるという点で、今後のデジタルレコーダーだけでなく、記録媒体のあり方を変えていく可能性が高いといえる。
【０００３】
オーディオデータやビデオデータ等のコンテンツの複製には、ＣＤ−Ｒ、ＣＤ−ＲＷ、ＤＶＤ−Ｒ、ＤＶＤ−ＲＷ、ＤＶＤ−ＲＡＭといった光情報記録媒体が使用されることがある。一方で、著作権を有するコンテンツの違法コピーを防止する観点から、ムーブ（コンテンツを記録媒体から読み出し外部に出力すると同時に、記録媒体に記録されているコンテンツを削除するデータの移動処理）といわれる処理が行われ、種々の検討がなされている（例えば、特許文献１参照）。
【０００４】
上記ムーブに適用できる記録媒体としては、ＤＶＤ−ＲＷ、ＤＶＤ−ＲＡＭやハードディスク（ＨＤＤ）等が挙げられる。しかし、ＤＶＤ−Ｒといったライトワンス記録媒体には、当該ムーブを適用する試みはなされていない。これは、追記型の記録媒体では、そのような必要性が低かったためと考えられる。一方で、ライトワンス記録媒体は、書き換え可能型の記録媒体に比べ安価であるため、ムーブと同様の機能を発揮できる処理方法および処理装置が開発されれば、著作権保護を有効に図りながら、ユーザーの便宜をも考慮できる点で、非常に有意である。また、コピーワンスコンテンツの今後の増加に伴い、ライトワンス記録媒体への適用の要請も高まると考えられる。
【特許文献１】特開２００４−１１０３０９号公報
【発明の開示】
【発明が解決しようとする課題】
【０００５】
以上から、本発明は、上記従来の課題を解決することを目的とする。すなわち、本発明は、コピーワンスコンテンツが記録されたライトワンス記録媒体に対し、ムーブと同様の機能を発揮できる処理方法および処理装置を提供することを目的とする。
【課題を解決するための手段】
【０００６】
上記目的は、下記本発明により達成することができる。
すなわち、本発明は、ライトワンス記録媒体に記録されたコピーワンスコンテンツを前記ライトワンス記録媒体とは別の記録媒体に移動させるコピーワンスコンテンツの移動方法であって、
前記コピーワンスコンテンツを前記別の記録媒体に移動させる際に、前記ライトワンス記録媒体の情報部に、該情報部に記録された信号とは異なる信号を記録し、前記ライトワンス記録媒体の情報を再生できないようにすることを特徴とするコピーワンスコンテンツの移動方法である。
前記異なる信号の記録は、最適記録パワーの１／４以上のパワーで行うことが好ましい。
【０００７】
また、本発明は、ライトワンス記録媒体に記録されたコピーワンスコンテンツを前記ライトワンス記録媒体とは別の記録媒体に移動させるコピーワンスコンテンツの移動装置であって、前記コピーワンスコンテンツを前記別の記録媒体に移動させる際に、前記ライトワンス記録媒体の情報部に、該情報部に記録された信号とは異なる信号を記録する信号再記録手段を有することを特徴とするコピーワンスコンテンツの移動装置である。
【発明の効果】
【０００８】
本発明によれば、コピーワンスコンテンツが記録されたライトワンス記録媒体に対し、ムーブと同様の機能を発揮できる処理方法（コピーワンスコンテンツの移動方法）および処理装置（コピーワンスコンテンツの移動装置）を提供することができる。
【発明を実施するための最良の形態】
【０００９】
［コピーワンスコンテンツの移動方法］
本発明のコピーワンスコンテンツの移動方法は、ライトワンス記録媒体に記録されたコピーワンスコンテンツを前記ライトワンス記録媒体とは別の記録媒体に移動させるコピーワンスコンテンツの移動方法であって、前記コピーワンスコンテンツを前記別の記録媒体に移動させる際に、前記ライトワンス記録媒体の情報部に、該情報部に記録された信号とは異なる信号を記録し、前記ライトワンス記録媒体の情報を再生できないようにするものである。
【００１０】
ライトワンス記録媒体に記録されたコピーワンスコンテンツを別の記録媒体に記録させるには、公知の技術を適用することができる。通常のＨＤＤ付ＤＶＤレコーダでは、ＤＶＤ−ＲからＨＤＤへ記録する機能が付属されている。例えば、パイオニア株式会社製の「ＤＶＲ−５２０Ｈ−Ｓ」等が挙げられる。ＤＶＤ−ＲからＨＤＤに記録し、続けて、ＤＶＤ−Ｒのデータを読み出し不能にすれば、ＤＶＤ−Ｒのデータ（コピーワンスコンテンツ）を再生できないようにするとともに、ＨＤＤへデータを移動させることができる。
【００１１】
ここで、「ライトワンス記録媒体」とは、情報の記録が一回限り可能な記録媒体をいい、例えば、ＣＤ−ＲやＤＶＤ−Ｒ、追記型のブルーレイディスク、追記型のＨＤ  ＤＶＤ等が挙げられる。また、「別の記録媒体」とは、コピーワンスコンテンツが記録されたライトワンス記録媒体とは異なる記録媒体であれば特に限定されず、ライトワンス記録媒体のほか、ＤＶＤ−ＲＷ、ＤＶＤ−ＲＡＭやハードディスク（ＨＤＤ）等が挙げられる。
【００１２】
上記のようにして、別の記録媒体に移動させる際には、ライトワンス記録媒体の情報部に、該情報部に記録された信号とは異なる信号を重ねて記録する。情報部は、ライトワンス記録媒体のディスク情報等が記録された領域であり、暗号キーや著作権保護情報、ＦＡＴなどが記録された領域をいう。このように、異なる信号を重ねて記録することで、移動後に、ライトワンス記録媒体に記録されたコピーワンスコンテンツを正常に再生できないようにすることができる。その結果、いわゆるムーブと同様な効果が得られることになる。また、情報部に選択的に異なる信号を記録するため、ディスク全体の情報を再生できないようようにするよりも効率的であるといえる。さらに、通常情報部の一部または全部再生できないようにしても構わない。時間はかかるが、確実に情報を再生できないようにする方法である。
【００１３】
異なる信号の記録は、最適記録パワーの１／４以上のパワーで行うことが好ましく、１／２以上で行うことがより好ましい。１／４以上のパワーで行うことで、ライトワンス記録媒体に記録されたコピーワンスコンテンツの再生を確実に妨害することができる。
【００１４】
異なる信号は、ＤＣ状でも、間欠的でも構わない。間欠的な方がレーザの寿命を伸ばす効果がある。具体的には、パルステック工業社製のＤＤＵ１０００のようなテスト機で行うことができる。また、通常のＤＶＤレコーダでもソフトウェアやハードウェアを変更すれば同様の記録をすることができる。
【００１５】
［ライトワンスコンテンツの移動装置］
本発明のライトワンスコンテンツの移動装置は、ライトワンス記録媒体に記録されたコピーワンスコンテンツをライトワンス記録媒体とは別の記録媒体に移動させるコピーワンスコンテンツの移動装置である。以下、図面を参照して本発明のライトワンスコンテンツの移動方法に適用されるライトワンスコンテンツの移動装置について説明する。
【００１６】
この装置は、図１に示すように、ライトワンス記録媒体２０のライトワンスコンテンツの読出しを行う読み出し手段１０と、ライトワンス記録媒体２０へ信号を再記録する信号再記録手段１２と、を備えている。また、読み出し手段１０および信号再記録手段１２を制御する制御手段１４と、読み出したライトワンスコンテンツを格納するコンテンツ格納手段（例えば、ハードディスク等）１６とを備える。
【００１７】
当該コピーワンスコンテンツの移動装置は、ライトワンス記録媒体２０のコピーワンスコンテンツを読み出し手段１０により読出し、別の記録媒体であるコンテンツ格納手段１６に移動させる際に、ライトワンス記録媒体２０の情報部に、該情報部に記録された信号とは異なる信号を信号再記録手段１２により記録する。このように、異なる信号を重ねて記録することで、移動後に、ライトワンス記録媒体に記録されたコピーワンスコンテンツを正常に再生できないようにすることができる。
【００１８】
なお、異なる信号等の詳細は、記述のコピーワンスコンテンツの移動方法で説明したとおりである。また、ライトワンスコンテンツの移動は、ライトワンスコンテンツの情報部の付加情報に基づいて管理される。ライトワンスコンテンツを移動したとき、移動元に保持されていた付加情報は一定の規則に従って更新されて移動先に渡され、以後のムーブ（移動）は、更新された付加情報に基づいて管理されることになる。
【図面の簡単な説明】
【００１９】
【図１】本発明のライトワンスコンテンツの移動装置の構成図である。
【符号の説明】
【００２０】
１０・・・読み出し手段
１２・・・信号再記録手段
１４・・・制御手段
１６・・・コンテンツ格納手段
２０・・・ライトワンス記録媒体
【図１】
2006114114.tif 000002